(57)【特許請求の範囲】
【請求項１】
それぞれくぎ状の固定素子（１）を収容する互いに連結した複数個の案内スリーブ（２）を有する鋲マガジンであって、前記案内スリーブ（２）は一列に互いに順次間隔をとって配置し、前記案内スリーブ（２）の各々には第１及び第２の端部領域（Ｅ１，Ｅ２）と、前記案内スリーブ（２）の長手方向軸線に平行に中心で延在する収容孔（３）と、２個の端部領域（Ｅ１，Ｅ２）間で前記案内スリーブ（２）の長手方向軸線に直交しかつ鋲マガジン長手方向軸線にも直交する貫通開口（７）を設け、互いに隣接する２個の案内スリーブの対向側面にはそれぞれ２個の連結ウェブ（４，５）を設け、これらの２個の連結ウェブ（４，５）は前記案内スリーブ（２）の長手方向軸線に平行な方向に互いに離して配置した鋲マガジンにおいて、前記案内スリーブの双方の端部領域（Ｅ１，Ｅ２）における横断面の形状を互いに同一にし、また前記連結ウェブ（４，５）には十字状横断面部（８）を設けたことを特徴とする鋲マガジン。
【請求項２】
前記案内スリーブ（２）の長手方向軸線に平行な方向の前記横断面部（８）の延在範囲を、前記案内スリーブ（２）の全長の０．１〜０．３倍の範囲とした請求項１記載の鋲マガジン。
【請求項３】
前記案内スリーブ（２）の長手方向軸線に直交する方向の前記横断面部（８）の延在範囲を、前記２個の端部領域（Ｅ１，Ｅ２）間における中間領域（Ｚ）の前記案内スリーブ（２）の長手方向軸線に直交する方向の寸法に対して０．３〜１倍の範囲とした請求項１又は２記載の鋲マガジン。
【請求項４】
前記連結ウェブ（４，５）間で前記案内スリーブ（２）の長手方向軸線に平行な中間ウェブ（１０）を設けた請求項１乃至３のうちのいずれか一項に記載の鋲マガジン。
【発明の詳細な説明】
【０００１】
【発明の属する技術分野】
本発明は、それぞれくぎ状の固定素子を収容する互いに連結した複数個の案内スリーブを有する鋲マガジンであって、これら案内スリーブは一列に互いに順次間隔をとって配置し、前記案内スリーブの各々には第１及び第２の端部領域と、前記案内スリーブの長手方向軸線に平行に中心で延在する収容孔と、２個の端部領域間で前記案内スリーブの長手方向軸線に直交しかつ鋲マガジン長手方向軸線にも直交する貫通開口を設け、互いに隣接する２個の案内スリーブの対向側面にはそれぞれ２個の連結ウェブを設け、これらの２個の連結ウェブは前記案内スリーブの長手方向軸線に平行な方向に互いに離して配置した鋲マガジンに関するものである。
【０００２】
【従来の技術】
壁厚の薄い構造部分を基礎に固定するには、例えば、鋲打ち装置を使用し、例えば、米国特許第５，４４３，３４５号に記載のようなくぎ状の固定素子を構造部分に貫通させて基礎に打ち込むことが行なわれる。一方では、構造部分の基礎に対する遊びのない接触を保証するため、また他方では、鋲打ち装置によって固定素子に作用する過剰エネルギを十分減衰することができるようにするため、くぎ状の固定素子とともに打ち込み方向に平行な弾性変形可能な案内スリーブを使用し、この案内スリーブは鋲打ち装置の案内孔内における固定素子の案内としても作用する。
【０００３】
一列に互いに間隔をとって配列した複数個の案内スリーブを、各案内スリーブの側面から突出する連結ウェブを互いに分離可能に連結し、全体で鋲マガジンを構成する。案内スリーブの長手方向軸線に平行な方向に互いに間隔をとって配列した２個の連結ウェブを、２個の案内スリーブ間に配置する。各案内スリーブの中心には案内スリーブの長手方向軸線に平行に延在する収容孔を設け、この収容孔内にくぎ状の固定素子を収容する。案内スリーブの中間部分には、案内スリーブの長手方向軸線に直交しかつ鋲マガジンの長手方向にも直交する方向に延在する貫通開口を設ける。
【０００４】
この既知の案内スリーブの両側の端部領域は互いに異なる横断面にし、案内スリーブの案内のためまた鋲打ち装置の案内孔内における固定素子の案内のため、打ち込み方向側に大きな横断面の端部領域を設けている。打ち込み方向とは反対側の端部領域は、案内スリーブの打ち込み方向側の端部領域の横断面にほぼ等しい横断面を有する固定素子のヘッドが鋲打ち装置の案内孔に案内されるようにしている。
【０００５】
【発明が解決しようとする課題】
しかし、固定素子のヘッドは鋲打ち装置の案内孔の内壁に直接接触するため、鋲打ち装置の内壁を磨滅させ、案内孔における固定素子の案内を良好に行なうことができなくなる。更に、従来の案内スリーブは、鋲マガジンの軸線方向に直交する平面における剛性が低いという欠点がある。
【０００６】
従って、本発明の目的は、各案内スリーブにより鋲打ち装置の案内孔内における固定素子の案内を良好に行なうとともに、鋲打ち装置の案内孔の内壁の損傷を回避し、また連結ウェブにより一方では鋲マガジンの剛性を高め、他方では分離を良好に行なうことができるようにした製造安価な鋲マガジンを得るにある。
【０００７】
この目的を達成するため、本発明による鋲マガジンは、前記案内スリーブの双方の端部領域における横断面の形状を互いに同一にし、また前記連結ウェブには十字状横断面部を設けたことを特徴とする。
【０００８】
本発明による鋲マガジンによれば、両側の端部領域の横断面が互いに等しい大きさであるため、鋲打ち装置の案内孔内における固定素子の案内を良好にする。固定素子のヘッドは鋲打ち装置の案内孔の内壁には直接接触せず、従って、案内孔の内壁の損傷を回避することができる。連結ウェブの十字状横断面部によって、案内スリーブの長手方向軸線に平行な方向、並びに案内スリーブの長手方向軸線に直交する方向に延在する平面における鋲マガジンの剛性を高めることができる。
【０００９】
２個の案内スリーブは、案内スリーブの長手方向軸線に平行な方向に互いに離して配置した２個の連結ウェブにより互いに連結するため、案内スリーブの長手方向軸線に平行に延在する僅かな連結ウェブにも係わらず、案内スリーブの長手方向軸線に平行な方向に延在する平面で見た剛性を高くすることができる。好適な実施例においては前記案内スリーブの長手方向軸線に平行な方向の前記横断面部の延在範囲を、前記案内スリーブの全長の０．１〜０．３倍の範囲とする。
【００１０】
本発明によれば、案内スリーブの長手方向軸線に直交する方向に連結ウェブが延在するため、案内スリーブの長手方向軸線に直交する方向に延在する平面上で見た鋲マガジンの剛性を調整可能にすることができる。好適な実施例においては前記案内スリーブの長手方向軸線に直交する方向の前記横断面部の延在範囲を、前記２個の端部領域間における中間領域の前記案内スリーブの長手方向軸線に直交する方向の寸法に対して０．３〜１倍の範囲とする。
【００１１】
案内スリーブ全体の剛性を高めるためには、前記連結ウェブ間で前記案内スリーブの長手方向軸線に平行な中間ウェブを設けると好適である。
【００１２】
【発明の実施の形態】
次に、図面につき本発明の好適な実施の形態を説明する。
【００１３】
図１及び図２に示す鋲マガジンは、互いに順次連結した複数個の案内スリーブ２を有し、これらの案内スリーブ２は一列にかつ或る間隔をとって配列する。各案内スリーブ２には案内スリーブ２の中心で長手方向軸線に平行に延在する収容孔３を設け、この収容孔３は図１に点線で示す固定素子１を収容する。案内スリーブ２は互いに同一の横断面の２個の端部領域Ｅ１，Ｅ２を有する。双方の端部領域Ｅ１，Ｅ２間において案内スリーブ２には案内スリーブの長手方向軸線に直交しかつ鋲マガジンの長手方向にも直交する貫通開口７を設け、この貫通開口７は収容孔３を中断する。
【００１４】
隣接する２個の案内スリーブ２の連結は、案内スリーブ２から半径方向に突出する２個の連結ウェブ４，５により行い、これらの連結ウェブ４，５は案内スリーブ２の長手方向軸線に平行に互いに間隔をとって配置する。
【００１５】
鋲マガジンのすべての連結ウェブ４，５は２個の案内スリーブ２間の領域で十字状横断面部を有する。この十字状横断面部８は、案内スリーブ２の長手方向軸線に直交する方向に見て、端部領域における案内スリーブの長手方向軸線に直交する方向の延在範囲のほぼ０．２５倍の範囲にわたり延在する。更に、十字状横断面部８は、案内スリーブ２の長手方向に平行な方向に見て、案内スリーブ２の全長のほぼ０．２倍の範囲にわたり延在する。
【００１６】
鋲マガジンの端部領域における案内スリーブ２の連結ウェブ６は矩形横断面部９を有し、この矩形横断面部９は案内スリーブ２の長手方向軸線に平行な方向に延在し、案内スリーブ２の全長のほぼ０．２倍の範囲にわたって延在する。
【００１７】
双方の端部領域Ｅ１，Ｅ２は互いに対向する２個の案内面１１，１２を有し、これらの案内面１１，１２は案内スリーブ２又は鋲マガジンの軸線方向の案内として、案内スリーブに対応した形状の図示しない案内レールにおける軸線方向の案内として作用させる。
【図面の簡単な説明】
【図１】  本発明による鋲マガジンの一部の側面図である。
【図２】  図１のII-II 線上の鋲マガジンの断面図である。
【符号の説明】
1 固定素子
2 案内スリーブ
3 収容孔
4,5 連結ウェブ
6 連結ウェブ
7 貫通開口
8 十字状横断面部
9 矩形横断面部
10
11,12   案内面
【図１】
0004455694.tif 000002
【図２】
0004455694.tif 000003